(57)【要約】【課題】  通信回線を介して管理サーバから真偽判定の結果情報を入手し、新たに発効される有価証券の真偽判定を行なえるようにした有価証券の真贋判定端末装置を提供する。【解決手段】  有価証券の真贋判定処理を行なう管理サーバと通信回線を介して接続された有価証券の真贋判定端末装置であって、管理サーバと通信を行なうための通信手段と、有価証券の画像情報を読み取る画像読取手段と、読み取った画像情報から券種を判別する券種判別手段と、判別した券種に基づいて、有価証券の券番号が表示された位置を特定し、券番号を読み取る券番号読取手段と、有価証券の真贋判定用の特性情報を読み取る特性情報読取手段と、読み取った券番号と、読み取った真贋判定用の特性情報を、管理サーバに送信させる手段と、管理サーバから前記有価証券に関する真贋判定の結果情報を受信した際に、前記真贋判定の結果情報を表示する表示手段と、を有することを特徴とする。【選択図】        図1
2005316527.tif 000002
【特許請求の範囲】
【請求項１】
有価証券の真贋判定処理を行なう管理サーバと通信回線を介して接続された有価証券の真贋判定端末装置であって、
前記管理サーバと通信を行なうための通信手段と、
前記有価証券の券面の画像情報を読み取る画像読取手段と、
前記画像読取手段で読み取った画像情報から券種を判別する券種判別手段と、
前記券種判別手段で判別した券種に基づいて、有価証券の券番号が表示された位置を特定し、券番号を読み取る券番号読取手段と、
前記有価証券の真贋判定用の特性情報を読み取る特性情報読取手段と、
前記券番号読取手段で読み取った券番号と、前記特性情報読取手段で読み取った真贋判定用の特性情報を、前記通信手段から前記管理サーバに送信させる手段と、
前記管理サーバから前記有価証券に関する真贋判定の結果情報を受信した際に、前記真贋判定の結果情報を表示する表示手段と、
を有することを特徴とする有価証券の真贋判定端末装置。
【請求項２】
前記有価証券の真贋判定端末装置が、前記管理サーバからの有価証券に関する真贋判定結果として偽券であるとの判定情報を受信した場合に、偽券と判定された有価証券を、真券と判定された有価証券と区別して排出するリジェクト手段を備えていることを特徴とする請求項１記載の有価証券の真贋判定端末装置。
【請求項３】
前記有価証券の真贋判定端末装置が、前記管理サーバからの有価証券に関する真贋判定結果として真券であるとの判定情報を受信した場合に、その判定された有価証券に対して再使用を無効とする処理を施す無効処理手段を備えていることを特徴とする請求項１記載の有価証券の真贋判定端末装置。
【発明の詳細な説明】
【技術分野】
【０００１】
本発明は、有価証券が本物であるのか又は偽物であるのかの真贋判定処理を行なう管理サーバと通信回線を介して接続された有価証券の真贋判定端末装置に関する。
【背景技術】
【０００２】
従来、例えば、商品券、ギフトカード、旅行券、食事券、ビール券、アイスクリーム券、図書券、文具券、など金銭的な価値を有する種々の有価証券が多種類発行され、顧客が店舗で商品を購入する際に使用されている。
これらの有価証券には、１枚毎に金券を管理するための管理番号として券番号が表示されており、これらの券番号に基づくデータ管理により、市場に発効されて出回っている金券と、既に使用されて回収された金券について把握できるようにしてある。
【０００３】
従来技術として、このような有価証券に表示された券番号を機械的に読み取って、予め登録されている券番号と照合することで有価証券の回収処理を行うと共に、使用された有価証券が、偽造、変造または改ざんなどの偽物の偽券であるか否かを判別処理する機能を有する端末装置が公知となっている。（例えば、特許文献１参照）
【特許文献１】特開平１０−３４０３６８号公報
【０００４】
また、偽造、変造または改ざんなどが行なわれた偽物の有価証券による被害を少なくするための対策として、必要に応じて有価証券のデザインを新たなデザインに随時変更して簡単に偽物の有価証券の作成をできにくくしたり、店舗などで使用された有価証券が、真券であるのか、偽券であるのかについての真贋判定を正確に行なえるようにするための真贋判定用の特性情報を、偽物を作成しにくいように新しい有価証券の中に含ませるなどして、不正な偽物の有価証券の偽造対策や被害防止対策を図っている。
【０００５】
しかしながら、新たに発行される有価証券に、これらの新たな真贋判定用の特性情報を含ませることは、真贋判定を行なう処理装置の機能も特性情報の追加や変更に対応させて追加や変更を行なう必要がでてくる。
上記の従来公知の端末装置では、端末装置内に有価証券が真券であるか否かを判別する判別手段が備えられているので、有価証券に含まれている真贋判定用の特性情報が変更される毎に、端末装置内の判別手段の機能も変更させなければならず、それら有価証券を扱う全ての端末装置に対して、判別手段の変更処理を行うことは手間、時間、コストなどがかかるという問題がある。
【発明の開示】
【発明が解決しようとする課題】
【０００６】
本発明は、有価証券が真券であるのか、偽券であるのかの真贋判定を行なうための真贋判定用の様々な特性情報が新たに有価証券に付加された場合でも、有価証券を取り扱う店舗などに備えられた有価証券の真贋判定を行なうための装置における真贋判定用の処理機能をいちいち変更しないでも、通信回線を介して管理サーバから真贋判定の結果情報を入手できるようにして、新たに発行される有価証券に対しても手間、時間、コストをかけることなく真贋判定を行なえるようにした有価証券の真贋判定端末装置を提供する。
【課題を解決するための手段】
【０００７】
本発明の有価証券の真贋判定端末装置は、有価証券の真贋判定処理を行なう管理サーバと通信回線を介して接続された有価証券の真贋判定端末装置であって、前記管理サーバと通信を行なうための通信手段と、前記有価証券の券面の画像情報を読み取る画像読取手段と、前記画像読取手段で読み取った画像情報から券種を判別する券種判別手段と、前記券種判別手段で判別した券種に基づいて、有価証券の券番号が表示された位置を特定し、券番号を読み取る券番号読取手段と、前記有価証券の真贋判定用の特性情報を読み取る特性情報読取手段と、前記券番号読取手段で読み取った券番号と、前記特性情報読取手段で読み取った真贋判定用の特性情報を、前記通信手段から前記管理サーバに送信させる手段と、前記管理サーバから前記有価証券に関する真贋判定の結果情報を受信した際に、前記真贋判定の結果情報を表示する表示手段と、を有することを特徴とする。
【０００８】
また、本発明の有価証券の真贋判定端末装置は、前記有価証券の真贋判定端末装置が、前記管理サーバからの有価証券に関する真贋判定結果として偽券であるとの判定情報を受信した場合に、偽券と判定された有価証券を、真券と判定された有価証券と区別して排出するリジェクト手段を備えていることを特徴とする。
【０００９】
更に、本発明の有価証券の真贋判定端末装置は、前記有価証券の真贋判定端末装置が、前記管理サーバからの有価証券に関する真贋判定結果として真券であるとの判定情報を受信した場合に、その判定された有価証券に対して再使用を無効とする処理を施す無効処理手段を備えていることを特徴とする。
【発明の効果】
【００１０】
本発明の有価証券の真贋判定端末装置は、真贋判定用の特性情報を管理サーバに送信させて、管理サーバから有価証券に関する真贋判定の結果情報を受信する機能を有しているので、たとえ有価証券に含まれている真贋判定用の特性情報が新しく変更されたり、新たな真贋判定用の特性情報を有する有価証券が発行されたとしても、有価証券を取り扱う店舗などに備えられた有価証券の処理装置における真贋判定用の処理機能をいちいち変更しないでも、通信回線を介して管理サーバから真贋判定の結果情報を入手することができるという効果がある。
【００１１】
また、本発明の有価証券の真贋判定端末装置は、リジェクト手段により偽券を真券と区別して排出することができるという効果がある。
【００１２】
更に、本発明の有価証券の真贋判定端末装置は、無効処理手段により、真券と判定された有価証券に対して再使用を無効とする処理を施すことができるので、回収された有価証券が不正に再使用されることを防止することができるという効果がある。
【発明を実施するための最良の形態】
【００１３】
以下、本発明の実施形態に係る有価証券の真贋判定端末装置について、図面に基づいて詳細に説明する。
図１は、本発明の実施形態に係る有価証券の真贋判定端末装置の概要を説明するための図、図２は、有価証券の一例を示す平面図、図３は、本発明の実施形態に係る有価証券の真贋判定端末装置のシステムブロック図、図４は、本発明の実施形態に係る有価証券の真贋判定端末装置において、有価証券の処理の流れを示す図、図５は、本発明の実施形態に係る有価証券の真贋判定端末装置の処理手順を示すフローチャートである。
【００１４】
本発明の実施形態に係る有価証券の真贋判定端末装置１は、図１に示すように例えば代金の代わりに商品券などの有価証券を取り扱う扱う店舗などに設置されており、また有価証券の真贋判定処理を行なう管理サーバ２と通信回線３を介して通信可能に接続されている。
尚、図１には、一例として商品券からなる有価証券４に対して真贋判定端末装置１を用いて真贋判定を行なう場合が示されている。
【００１５】
真贋判定端末装置１は、有価証券４を取り扱う複数の店舗などに設置され、各々の真贋判定端末装置１が通信回線３を介して管理サーバ２と通信可能に接続され、管理センターなどに設置されている管理サーバ２により一括して真贋判定処理が行われ、これらの真贋判定の結果情報が管理サーバ２から真贋判定端末装置１に送信されて、取り扱われた商品券などの有価証券に対し、それが本物の真券であるのか、偽物の偽券であるのか否かがわかるようにしてある。
【００１６】
真贋判定端末装置１の外部には、操作手順説明や管理サーバ２から受信した真贋判定の結果情報などが表示される表示手段と、指示情報などを入力するための入力手段とを有するタッチパネル５、真贋判定を行なう有価証券４を真贋判定端末装置１内に挿入する際にセットする挿入セット部６、真券であると判定された有価証券４が排出される排出部７、偽券であると判定された偽物の有価証券を排出するリジェクトスタッカ８、などが備えられている。
【００１７】
有価証券４の真贋を調べようとする者は、挿入セット部６に有価証券４をセットすることで有価証券４を真贋判定端末装置１内に挿入させ、タッチパネル５に表示された操作手順説明に従いながら、タッチパネル５から指示情報などを入力することで有価証券４から読み取った情報を管理サーバ２に送信する。
そして、管理サーバ２で真贋判定が行なわれ、この真贋判定の結果情報が管理サーバ２から真贋判定端末装置１に送信され、真贋判定端末装置１のタッチパネル５の表示手段に表示させることで、その有価証券が真券であるか、偽券であるのかの確認が行なえるように構成されている。
【００１８】
また、真贋判定端末装置１の処理系を示すシステムブロック図である図３に示すように、真贋判定端末装置１には、挿入部６にセットされた有価証券４を真贋判定端末装置１内に取り入れる挿入手段９、この挿入手段９で真贋判定端末装置１の内部に取り入れられた有価証券４を装置内部で搬送させる搬送手段１０、有価証券の券面の画像情報を読み取る画像読取手段１１、この画像読取手段１１で読み取った画像情報に基づいて券種を判別する券種判別手段１２、券種判別手段１２で判別した券種に基づいて、有価証券の券番号が表示された位置を特定し、券番号４ａを読み取る券番号読取手段１３、有価証券の真贋判定用の特性情報を読み取る特性情報読取手段１４、入力手段１５、記憶手段１６、表示手段１７、通信回線を介して管理サーバと通信を行なう通信手段１８、有価証券４が真券であると判定された後に、その有価証券４の再使用をできないように使用の無効を示すパンチ穴をあける機能を有する無効処理手段１９、真券であると判定された有価証券４を排出部７に排出させる排出手段２０、偽券と判定された偽有価証券をリジェクトスタッカ８に排出するリジェクト手段２１、真贋判定端末装置１から管理サーバ２に送信する際の制御を行なう送信制御手段２２、制御手段２３、などが備えられている。
【００１９】
また、入力手段１５及び表示手段１７は、タッチパネル５により入力及び表示が行なわれる。
記憶手段１６には、処理手順などの制御プログラムや、画像読取手段１１で読み取った画像情報から券種を判別する際に、読み取り画像情報と照合するための照合用画像情報が予め複数種類登録されている。
【００２０】
そして、券種判別手段１２により、画像読取手段１１から読み取った有価証券の画像情報と照合用画像情報とが照合されることで、その有価証券の種別が特定されることで、その有価証券の券番号４１が表示されている位置を特定可能としてある。
その有価証券の券番号４１の位置が特定されることで、券番号読取手段１３での券番号４１の読み取りに際して、有価証券のどの部分を読み取りすればよいのかが定められることで、たとえ複数種類の有価証券が挿入部６にセットされたとしても、各々の有価証券の券番号に対する読み取りを正確に行なうことができるようにしてある。
【００２１】
有価証券の真贋判定用の特性情報を読み取る特性情報読取手段１４は、各々の有価証券に付されている真贋判定用の特性情報に対応して、これらの特性情報を読み取れる複数種類のセンサーなどから構成されている。
有価証券に付されている真贋判定用の特性情報としては、例えば、券面デザインとして施されている印刷パターン、磁気インクを利用した印刷パターン、蛍光インクを利用した印刷パターン、透かし印刷、ホログラム、などがあり、偽造防止効果を高めるために、これらを複合させて用いるなどしてある。
図２に示す有価証券４には、真贋判定用の特性情報として、磁気インクを利用したバーコード状の印刷パターン４２と、蛍光インクを利用したドーナツ状の印刷パターン４３とが施されている例が表示されている。
したがって、特性情報読取手段１４としては、上記した有価証券に付されている真贋判定用の特性情報に対応して、これらの情報の読み取りが行なえる各種のセンサーが複数種類設けられている。
【００２２】
図４に示すように、真贋判定端末装置１には、有価証券４の搬送方向に対して画像読取手段１１、券番号読取手段１２、各種センサーからなる特性情報読取手段１４、有価証券４を使用無効とする無効処理手段１９、が順次に配置されており、管理サーバ２から受信した真贋判定の結果情報に基づいて、真券と判定された有価証券４ａを排出部７に搬送する搬送ルートと、偽券と判定された有価証券４ｂをリジェクトスタッカ８に搬送する搬送ルートとに分かれて排出するように構成されている。
【００２３】
次に、本発明の実施形態に係る有価証券の真贋判定端末装置の処理手順を、図５に示すフローチャートに基づいて説明する。
まず、真贋判定を行なう有価証券４を真贋判定端末装置の挿入セット部６にセットする。（ステップＳ１）
そして、タッチパネルから処理開始用の指示情報を入力する。（ステップＳ２）
有価証券４は、挿入手段９及び搬送手段１０により内部へと搬送され、画像読取手段１１により有価証券４の券面の画像情報が読み取られる。（ステップＳ３）
【００２４】
次に、読み取られた画像情報に基づいて、券種判別手段１２により、券種の特定が行なわれる。（ステップＳ４）
そして、券種判別手段１２で券種が特定されたことで、券番号４１の読取位置が定まり、券番号読取手段１３に搬送された有価証券４から券番号４１の読み取りが行なわれる。（ステップＳ５）
次に、有価証券４は、各種センサーが設けられた特性情報読取手段１４を備えた位置に搬送されて、真贋判定用の特性情報の読み取りが行なわれる。（ステップＳ６）
【００２５】
次に、特性情報読取手段１４で読み取られた真贋判定用の特性情報は、通信回線３を介して管理サーバ２へ送信される。（ステップＳ７）
管理サーバ２では、受信した真贋判定用の特性情報と、予め登録されている照合用の真贋判定用の特性情報との照合処理を行う。（ステップＳ８）
そして、この照合処理による真贋判定の結果情報を管理サーバ２から真贋判定端末装置１に送信する。（ステップＳ９）
【００２６】
次に、真贋判定端末装置１では、管理サーバ２から受信した真贋判定の結果情報が、真券であるとの結果情報である場合には、無効処理手段１９によりその有価証券４に再使用を無効とするパンチ穴をあける。（ステップＳ１０）
そして、排出部７へと搬送させて排出させる。（ステップＳ１１）
【００２７】
また、真贋判定端末装置１で管理サーバ２から受信した真贋判定の結果情報が、偽券であるとの結果情報である場合には、リジェクト手段２１によりはじかれてリジェクトスタッカ８に対して搬送される。（ステップＳ１２）
したがって、リジェクトスタッカ８には、真贋判定処理で偽券と判定された偽造有価証券４ｂだけが真券と分けられて集められる。
【図面の簡単な説明】
【００２８】
【図１】本発明の実施形態に係る有価証券の真贋判定端末装置の概要を説明するための図である。
【図２】有価証券の一例を示す平面図である。
【図３】本発明の実施形態に係る有価証券の真贋判定端末装置のシステムブロック図である。
【図４】本発明の実施形態に係る有価証券の真贋判定端末装置において、処理の流れを示す図である。
【図５】本発明の実施形態に係る有価証券の真贋判定端末装置の処理手順を示すフローチャートである。
【符号の説明】
【００２９】
１  有価証券の真贋判定端末装置
２  管理サーバ
３  通信回線
４  有価証券
４ａ  真券と判定された有価証券
４ｂ  偽券と判定された有価証券
５  タッチパネル
６  挿入セット部
７  排出部
８  リジェクトスタッカ
９  挿入手段
１０  搬送手段
１１  画像読取手段
１２  券種判別手段
１３  券番号読取手段
１４  特性情報読取手段
１５  入力手段
１６  記憶手段
１７  表示手段
１８  通信手段
１９  無効処理手段
２０  排出手段
２１  リジェクト手段
２２  送信制御手段
２３  制御手段
４１  券番号
４２  磁気インクを利用したバーコード状の印刷パターン
４３  蛍光インクを利用したドーナツ状の印刷パターン
【図１】
2005316527.tif 000003
【図２】
2005316527.tif 000004
【図３】
2005316527.tif 000005
【図４】
2005316527.tif 000006
【図５】
2005316527.tif 000007